(57)【要約】【課題】オリジナルデザインのＩＤカードを容易に作成できるＩＤカード作成装置及びＩＤカード作成システムを提供する。【解決手段】本発明の一態様によるＩＤカード作成装置は、カード券面のレイアウトデータ、及び編集アイテムのデータを記憶する記憶部と、カード作成モードの選択を受け付けるモード選択部と、カード券面の背景の選択を受け付ける背景選択部と、レイアウトの選択を受け付けるレイアウト選択部と、選択されたレイアウトの文字領域に文字を入力する文字入力部と、選択されたレイアウトの画像領域に画像を挿入する画像挿入部と、選択されたレイアウトに対し、前記編集アイテムの配置又は線描を含む編集処理を行う編集部と、生成されたカード券面データを基材にプリントしてカードを作成するプリンタと、を備える。簡単モードが選択された場合、前記編集処理を省略してカード券面を作成する。こだわりモードが選択された場合、前記編集処理を行ってカード券面を装飾する。【選択図】図１
2017159511.tif 000002
【特許請求の範囲】
【請求項１】
カード券面のレイアウトデータ、及びカード券面に合成可能な編集アイテムのデータを記憶する記憶部と、
カード作成モードの選択を受け付けるモード選択部と、
カード券面の背景の選択を受け付ける背景選択部と、
前記レイアウトデータに基づく複数のレイアウトを提示し、レイアウトの選択を受け付けるレイアウト選択部と、
選択されたレイアウトの文字領域に文字を入力する文字入力部と、
選択されたレイアウトの画像領域に画像を挿入する画像挿入部と、
選択されたレイアウトに対し、前記編集アイテムの配置又は線描を含む編集処理を行う編集部と、
選択された背景及びレイアウトと、入力された文字、挿入された画像又は前記編集処理とに基づいて生成されるカード券面データを基材にプリントしてカードを作成するプリンタと、
を備え、
前記モード選択部が第１モードの選択を受け付けた場合、前記編集処理を省略して前記カード券面データを作成し、第２モードの選択を受け付けた場合、前記編集処理を行って前記カード券面データを作成することを特徴とするＩＤカード作成装置。
【請求項２】
ユーザを撮影し、ユーザ画像を生成する撮影装置をさらに備え、
前記画像挿入部は、前記画像領域に前記ユーザ画像を挿入することを特徴とする請求項１に記載のＩＤカード作成装置。
【請求項３】
前記カード券面データをサーバ装置へ送信し、前記サーバ装置から前記カード券面データに対応する識別情報を受信するデータ通信処理部をさらに備えることを特徴とする請求項１又は２に記載のＩＤカード作成装置。
【請求項４】
前記データ通信処理部は、ユーザにより選択された前記カード券面データの一部のみを前記サーバ装置へ送信することを特徴とする請求項３に記載のＩＤカード作成装置。
【請求項５】
前記データ通信処理部は、入力された識別情報を前記サーバ装置に通知し、この識別情報に対応するカード券面データを要求して取得し、
前記プリンタは、前記データ通信処理部が前記サーバ装置から取得したカード券面データを基材にプリントしてカードを作成することを特徴とする請求項３又は４に記載のＩＤカード作成装置。
【請求項６】
請求項３乃至５のいずれかに記載のＩＤカード作成装置と、
前記ＩＤカード作成装置から前記カード券面データを受信すると、このカード券面データに対応する識別情報を生成し、前記カード券面データと前記識別情報とを紐付けて保存すると共に、前記識別情報を前記ＩＤカード作成装置に通知するサーバ装置と、
を備えるＩＤカード作成システム。
【発明の詳細な説明】
【技術分野】
【０００１】
本発明は、ＩＤカード作成装置及びＩＤカード作成システムに関する。
【背景技術】
【０００２】
レストランや喫茶店等の飲食店、洋服やアクセサリーの販売店等では、各店員が紙片に名前や絵柄を手書きし、透明なプラスチック製のホルダーに挿入して、自分だけのオリジナルのデザインの名札を製作していた。
【０００３】
店舗のロゴや店舗名、自身の名前や顔写真等をカード基材に印刷したオリジナルデザインのＩＤカードを、きれいかつ耐久性良く製作することが望まれているが、このようなＩＤカードを個人的に製作することは困難であった。専門の印刷業者にカード製作を依頼することができるが、コスト的に不利であった。また、業者に依頼した場合は、業者側で準備しているテンプレートからデザインを選択することが多く、各自の好みに合ったものを製作することは困難であった。
【先行技術文献】
【特許文献】
【０００４】
【特許文献１】特開２０１１−２５５６７５号公報
【特許文献２】特開２００７−６９６２１号公報
【発明の概要】
【発明が解決しようとする課題】
【０００５】
本発明は、上記従来の実状に鑑みてなされたものであり、オリジナルデザインのＩＤカードを容易に作成できるＩＤカード作成装置及びＩＤカード作成システムを提供することを課題とする。
【課題を解決するための手段】
【０００６】
本発明の一態様によるＩＤカード作成装置は、カード券面のレイアウトデータ、及びカード券面に合成可能な編集アイテムのデータを記憶する記憶部と、カード作成モードの選択を受け付けるモード選択部と、カード券面の背景の選択を受け付ける背景選択部と、前記レイアウトデータに基づく複数のレイアウトを提示し、レイアウトの選択を受け付けるレイアウト選択部と、選択されたレイアウトの文字領域に文字を入力する文字入力部と、選択されたレイアウトの画像領域に画像を挿入する画像挿入部と、選択されたレイアウトに対し、前記編集アイテムの配置又は線描を含む編集処理を行う編集部と、選択された背景及びレイアウトと、入力された文字、挿入された画像又は前記編集処理とに基づいて生成されるカード券面データを基材にプリントしてカードを作成するプリンタと、を備え、前記モード選択部が第１モードの選択を受け付けた場合、前記編集処理を省略して前記カード券面データを作成し、第２モードの選択を受け付けた場合、前記編集処理を行って前記カード券面データを作成することを特徴とするものである。
【０００７】
本発明の一態様によるＩＤカード作成装置は、ユーザを撮影し、ユーザ画像を生成する撮影装置をさらに備え、前記画像挿入部は、前記画像領域に前記ユーザ画像を挿入することを特徴とする。
【０００８】
本発明の一態様によるＩＤカード作成装置は、前記カード券面データをサーバ装置へ送信し、前記サーバ装置から前記カード券面データに対応する識別情報を受信するデータ通信処理部をさらに備えることを特徴とする。
【０００９】
本発明の一態様によるＩＤカード作成装置において、前記データ通信処理部は、ユーザにより選択された前記カード券面データの一部のみを前記サーバ装置へ送信することを特徴とする。
【００１０】
本発明の一態様によるＩＤカード作成装置において、前記データ通信処理部は、入力された識別情報を前記サーバ装置に通知し、この識別情報に対応するカード券面データを要求して取得し、前記プリンタは、前記データ通信処理部が前記サーバ装置から取得したカード券面データを基材にプリントしてカードを作成することを特徴とする。
【００１１】
本発明の一態様によるＩＤカード作成システムは、前記ＩＤカード作成装置と、前記ＩＤカード作成装置から前記カード券面データを受信すると、このカード券面データに対応する識別情報を生成し、前記カード券面データと前記識別情報とを紐付けて保存すると共に、前記識別情報を前記ＩＤカード作成装置に通知するサーバ装置と、を備えるものである。
【発明の効果】
【００１２】
本発明によれば、オリジナルデザインのＩＤカードを容易に作成できる。
【図面の簡単な説明】
【００１３】
【図１】本発明の実施形態によるＩＤカード作成システムの構成図である。
【図２】同実施形態によるＩＤカード作成装置の概略図である。
【図３】演算制御装置のハードウェア構成図である。
【図４】カード作成プログラムを実行することで実現される機能ブロック図である。
【図５】サーバ装置の機能を説明するブロック図である。
【図６】モード選択画面の例を示す図である。
【図７】簡単モードでのカード作成処理を説明するフローチャートである。
【図８】レイアウト選択画面の例を示す図である。
【図９】（ａ）はレイアウトの一例を示し、（ｂ）は文字入力の例を示し、（ｃ）は画像入力の例を示す図である。
【図１０】カード券面の一例を示す図である。
【図１１】こだわりモードでのカード作成処理を説明するフローチャートである。
【図１２】編集ツールを示す図である。
【図１３】カード券面の一例を示す図である。
【図１４】保存するカード券面データの一例を示す図である。
【発明を実施するための形態】
【００１４】
以下、本発明の実施の形態を図面に基づいて説明する。
【００１５】
図１は、本発明の実施形態に係るＩＤカード作成システムの構成図である。図１に示すように、ＩＤカード作成システムは、カード基材に文字や画像を印画してカード４を作成するＩＤカード作成装置１と、ＩＤカード作成装置１から受信したデータを保存し、ＩＤカード作成装置１からの要求に応じて保存しているデータを送信するサーバ装置２とを備える。カード４は、例えば社員証、名札、名刺などである。
【００１６】
ＩＤカード作成装置１は、ユーザの要求（レベル）に応じた複数のカード作成モードを有している。例えば、ＩＤカード作成装置１は、簡易な操作でカード券面を生成する「簡単モード（第１モード）」、ユーザ自らフレームやスタンプ等でカード券面をデコレーションする編集処理を含む「こだわりモード（第２モード）」、ユーザが事前に自らカード券面をデザインしておくことができる「プロフェッショナルモード（第３モード）」を備える。
【００１７】
ＩＤカード作成装置１は、ユーザを撮影する撮影装置を備えており、撮影装置で撮影したユーザ画像をカード券面に含めることができる。また、ＩＤカード作成装置１は、生成したカード券面データをサーバ装置２に再利用可能に保存しておくことができる。
【００１８】
このＩＤカード作成装置１を用いることで、ユーザは、自身の要求（レベル）に合ったモードでカード券面を生成し、ユーザ画像を含むＩＤカードを作成できる。例えば「簡単モード」では、背景色やレイアウト等の最低限の選択をした上で、氏名等の必要な情報を入力することで、カード券面が生成され、ＩＤカードを容易に作成できる。
【００１９】
また、例えば「こだわりモード」では、フレームやスタンプ、手書きの文字やイラストでカード券面を装飾することで、オリジナルのデザインのＩＤカードを容易に作成できる。
【００２０】
また、例えば「プロフェッショナルモード」では、事前にユーザがカード券面の（ほぼ）全てをデザインし、画像データをＩＤカード作成装置１に入力することで、入力された画像データがカード基材にプリントされ、ＩＤカードが作成される。
【００２１】
また、サーバ装置２に保存されている前回作成したＩＤカードのカード券面データを利用することで、同じデザインのＩＤカードを容易に再作成できる。
【００２２】
次に、ＩＤカード作成装置１について説明する。図２に示すように、ＩＤカード作成装置１は、ユーザ（カード作成希望者）Ｐを撮影し、ユーザ画像を生成する撮影装置１１と、カード券面を作成する演算制御装置１０と、カード券面をカード基材に印画するするプリンタ１３と、ユーザから画像データ等の入力を受け付けるデータ入力部１４と、サーバ装置２との通信を行う通信部（通信インタフェース部）１５と、撮影装置１１がユーザＰを撮影する際にユーザＰに光を照射するストロボ１６とを備える。
【００２３】
さらに、ＩＤカード作成装置１は、ユーザＰから背景やレイアウト等の各種選択を受け付けたり、氏名等の情報の入力を受け付けたりするタッチパネル１２を備えている。また、ＩＤカード作成装置１には、ユーザＰがカードの代金として支払う貨幣を受け入れたり、釣銭を払い出したりする課金部（図示略）が設けられている。また、ＩＤカード作成装置１には、後述する二次元コードを読み取る二次元コード読取装置（図示略）が設けられている。
【００２４】
撮影装置１１は、例えばデジタルカメラであり、レンズ、シャッタ、ＣＭＯＳ（Complementary  Metal  Oxide  Semiconductor、相補型金属酸化膜半導体）センサ、Ａ／Ｄ変換器（アナログ−デジタル変換器）等を有する。撮影装置１１がユーザＰを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、ユーザ画像を生成する。撮影装置１１は、ユーザ画像を演算制御装置１０へ出力する。
【００２５】
演算制御装置１０は、撮影装置１１、タッチパネル１２、プリンタ１３、データ入力部１４、通信部１５及びストロボ１６に接続されており、各部の制御やデータの受け渡しを行う。
【００２６】
図３に、演算制御装置１０のハードウェア構成を示す。演算制御装置１０は、ＣＰＵ（中央演算処理部）３１、メインメモリ３２、ディスク装置３３、及び入出力部３４を有する。演算制御装置１０の各部はバスを介して接続されている。
【００２７】
ディスク装置３３は、制御プログラム、カード作成プログラム、レイアウトデータ、及び編集データを記憶する。レイアウトデータは、カード券面の文字領域や画像領域の配置場所を規定した複数種のレイアウトについてのデータである。編集データは、フレームやスタンプ等のカード券面を装飾（デコレーション）する際に使用する編集アイテムのデータである。
【００２８】
ＣＰＵ３１がメインメモリ３２にロードされた制御プログラムを実行することで、ＩＤカード作成装置１の各部を制御する制御部として機能する。
【００２９】
ＣＰＵ３１がメインメモリ３２にロードされたカード作成プログラムを実行することで、図４に示すように、モード選択部１００、背景選択部１０２、レイアウト選択部１０４、文字入力部１０６、画像挿入部１０８、編集部１１０、データ通信処理部１１２、二次元コード作成部１１４及びプリント処理部１１６が実現され、カード４の作成及びサーバ装置２との通信が行えるようになる。
【００３０】
モード選択部１００は、ユーザＰからカード作成モードの選択を受け付ける。カード作成モードとして「簡単モード」又は「こだわりモード」が選択された場合、モード選択部１００は、カード券面の作成処理を開始する。
【００３１】
「プロフェッショナルモード」が選択された場合、モード選択部１００は、ユーザが事前に作成したカード券面データをデータ入力部１４から入力するように案内する。データ入力部１４は、メモリカード等の可搬記憶媒体からデータを読み取る読取装置や、タブレット端末やスマートフォン等の携帯端末との通信を行う通信装置を有しており、ユーザが持参した画像データが入力できるようになっている。
【００３２】
背景選択部１０２は、カード券面の背景の色や模様の候補をタッチパネル１２に表示し、ユーザから背景の選択を受け付ける。
【００３３】
レイアウト選択部１０４は、ディスク装置３３に記憶されているレイアウトデータを用いて、レイアウトの候補をタッチパネル１２に表示し、ユーザからレイアウトの選択を受け付ける。
【００３４】
文字入力部１０６は、ユーザから文字入力を受け付け、入力された文字をカード券面レイアウトの文字領域に挿入する。例えば、文字入力部１０６は、タッチパネル１２にキーボード画面を表示し、ユーザがキーボード画面をタッチすることで文字入力を受け付ける。
【００３５】
画像挿入部１０８は、カード券面レイアウトの画像領域に画像を挿入する。挿入する画像は、データ入力部１４を介して入力された画像、又は撮影装置１１で撮影したユーザ画像である。
【００３６】
編集部１１０は、ディスク装置３３に記憶されている編集データを用いて、フレームやスタンプ等のカード券面に合成可能な編集アイテムをタッチパネル１２に表示し、選択された編集アイテムをカード券面上の指示された位置に配置する。また、編集部１１０は、タッチパネル１２を介して、ユーザから線描（手書きの文字やイラスト）の入力を受け付け、カード券面に線描を行う。このように、編集部１１０は、カード券面に対し、編集アイテムの配置や線描を含む編集処理を行う。
【００３７】
データ通信処理部１１２は、サーバ装置２との通信処理を行う。例えば、データ通信処理部１１２は、作成したカード券面のデータをサーバ装置２へ送信する。データ通信処理部１１２は、サーバ装置２から、送信したカード券面データに紐付いた識別情報を受信する。また、データ通信処理部１１２は、サーバ装置２へ識別情報を通知することで、この識別情報に紐付いたカード券面データを取得することができる。
【００３８】
二次元コード作成部１１４は、サーバ装置２から受信した識別情報を二次元コードに変換する。
【００３９】
プリント処理部１１６は、作成されたカード券面の画像データを入出力部３４を介してプリンタ１３へ転送し、カード基材にプリントするように指示する。また、プリント処理部１１６は、二次元コード作成部１１４が作成した二次元コード画像をプリンタ１３へ転送する。
【００４０】
プリンタ１３は、演算制御装置１０から受け取ったカード券面画像をカード基材にプリントしてカード４を作成する。また、プリンタ１３は、二次元コード画像を基材に印画する。二次元コード画像を印画する基材は、カード４と同じ基材でもよいし、異なるものでもよい。二次元コード画像は、課金部のレシートプリンタ（図示略）がプリント出力してもよい。
【００４１】
プリンタ１３のプリント方式は特に限定されず、インクジェット方式、昇華型熱転写方式、溶融型熱転写方式等を用いることができる。プリンタ１３は、中間転写媒体の受容層に熱転写画像を形成し、その後、この受容層を中間転写媒体からカード基材に転写するものでもよい。カード基材について特に限定はなく、ＰＶＣ（ポリ塩化ビニル）、ＰＥＴ（ポリエチレンテレフタレート）、ポリカーボネート等のプラスチックカードでもよいし、コート紙（厚紙）などでもよい。二次元コードをプリントする基材は、例えばコート紙や感熱紙である。
【００４２】
サーバ装置２は、ＩＤカード作成装置１からカード券面データを受信し、保存する。サーバ装置２は、ＣＰＵ（Central  Processing  Unit）、ＲＯＭ（Read  Only  Memory）、ＲＡＭ（Random  Access  Memory）等を備えたコンピュータにより構成され、ＣＰＵが、ＲＯＭに記憶されたプログラム又はＲＡＭにロードされたプログラムを実行することで、図５に示すように、受信部２０、格納処理部２１、及び送信部２２が実現される。
【００４３】
受信部２０は、ＩＤカード作成装置１からカード券面データ、又は識別情報を受信する。
【００４４】
格納処理部２２は、受信したカード券面データに対し、一意の識別情報を生成し、カード券面データと識別情報とを紐付けて、記憶部（図示略）に格納する。
【００４５】
送信部２２は、受信部２０が受信したカード券面データに対応する識別情報をＩＤカード作成装置１に通知する。また、送信部２２は、受信部２０がＩＤカード作成装置１から識別情報を受信すると、受信した識別情報に対応するカード券面データを記憶部から取り出して、ＩＤカード作成装置１へ送信する。
【００４６】
次に、本実施形態によるカード作成処理の流れを説明する。ユーザがＩＤカード作成装置１の筐体内に進入すると、モード選択部１００が図６に示すようなモード選択画面をタッチパネル１２に表示する。モード選択画面には、「簡単モード」「こだわりモード」「プロフェッショナルモード」に対応するモード選択ボタンＭ１〜Ｍ３と、以前作成したカード券面を再利用する再利用ボタンＭ４とが設けられる。
【００４７】
モード選択ボタンＭ１が押され「簡単モード」が選択された場合の処理を図７に示すフローチャートを用いて説明する。
【００４８】
まず、背景選択部１０２が、背景選択画面をタッチパネル１２に表示し、ユーザから背景の選択を受け付ける（ステップＳ１０１）。背景選択画面には、カード券面の背景に使用可能な複数の色や模様（ホログラム）が表示される。
【００４９】
ユーザがいずれかの背景を選択すると、レイアウト選択部１０４が、ディスク装置３３に記憶されているレイアウトデータを用いて、図８に示すようなレイアウト選択画面をタッチパネル１２に表示し、ユーザからレイアウトの選択を受け付ける（ステップＳ１０２）。レイアウト選択画面には、画像領域及び文字領域の数や配置の異なる複数のレイアウトが表示される。例えば、画像領域のあるレイアウトと、画像領域のないレイアウトとがタブで切り替えて表示されるようになっている。
【００５０】
ユーザがいずれかのレイアウトを選択すると、選択されたレイアウト内の文字領域に文字が入力できるようになる（ステップＳ１０３）。ユーザが図９（ａ）に示すような２つの文字領域５１、５２と、２つの画像領域５３、５４をからなるレイアウトを選択した場合について説明する。
【００５１】
例えば、ユーザがタッチパネル１２上の文字領域５１を選択すると、文字入力部１０６は、図９（ｂ）に示すようなスクリーンキーボード５５を表示し、文字の入力を受け付ける。スクリーンキーボード５５で入力された文字が文字領域５１に配置される。文字領域５２にも同様にして、文字を配置することができる。入力する文字のサイズやフォントの切り替えボタン（図示略）も表示されている。
【００５２】
ユーザが、タッチパネル１２上の画像領域を選択すると、選択された画像領域に画像が挿入できるようになる（ステップＳ１０４）。例えば、ユーザがタッチパネル１２上の画像領域５３を選択すると、画像挿入部１０８は、図９（ｃ）に示すように、ユーザがメモリカード等で持参した画像を挿入するか、又は撮影装置１１で撮影した画像を挿入するかの選択画面５６を表示し、指示を受け付ける。
【００５３】
画像挿入部１０８は、メモリカード等で持参した画像を挿入するという指示を受け付けると、画像データの入力を行うよう案内画面を表示する。画像挿入部１０８は、データ入力部１４から入力された画像データを表示し、挿入する画像の指示を受け付ける。画像挿入部１０８は、選択された画像を画像領域５３に挿入する。
【００５４】
一方、画像挿入部１０８は、撮影装置１１で撮影した画像を挿入するという指示を受け付けた場合、撮影装置１１によるユーザ撮影処理を行い、撮影されたユーザ画像を画像領域５３に挿入する。
【００５５】
画像領域５４にも同様にして、画像を挿入することができる。このような作業により、図１０に示すようなカード券面が作成される。図１０は、文字領域５１に店舗名、文字領域５２に氏名を入力し、メモリカードで持参した店舗のロゴ画像を画像領域５３に挿入し、撮影装置１１で撮影したユーザ画像を画像領域５４に挿入したカード券面の例を示している。
【００５６】
完成したカード券面に変更がある場合は（ステップＳ１０５＿Ｎｏ）、ステップＳ１０３に戻り、変更がない場合は（ステップＳ１０５＿Ｙｅｓ）、カード券面作成処理を終了する。
【００５７】
続いて、ＩＤカード作成装置１は、作成したカード券面データを保存するか否かの選択を受け付ける。カード券面データを保存する場合（ステップＳ１０６＿Ｙｅｓ）、ユーザは、作成したカード券面の保存領域を選択する（ステップＳ１０７）。作成したカード券面は、その全体を保存することもできるし、選択した一部領域のみを保存することもできる。カード券面の一部を保存する場合、ユーザは、保存する文字領域や画像領域を選択する。また、背景やレイアウト、文字領域のフォント情報のみ保存してもよい。
【００５８】
データ通信処理部１１２が、保存するカード券面データをサーバ装置２へ送信すると（ステップＳ１０８）、サーバ装置２からこのカード券面データに対応する識別情報を受信する（ステップＳ１０９）。二次元コード作成部１１４は、サーバ装置２から受信した識別情報を二次元コードに変換する（ステップＳ１１０）。
【００５９】
ユーザから作成するカード枚数の入力を受け付けると（ステップＳ１１１）、課金部が課金処理を行う（ステップＳ１１２）。
【００６０】
課金処理後、プリンタ１３が、カード券面画像をカード基材にプリントしてカード４を作成する（ステップＳ１１３）。また、カード券面データの保存を行った場合は、ステップＳ１１０で生成された二次元コードをプリント出力する。
【００６１】
次に、図６のモード選択画面において、モード選択ボタンＭ２が押され「こだわりモード」が選択された場合の処理を図１１に示すフローチャートを用いて説明する。図１１のステップＳ２０１〜Ｓ２０４は、図７のステップＳ１０１〜Ｓ１０４と同じであるため、説明を省略する。
【００６２】
「こだわりモード」では、図１２に示すように、タッチパネル１２上に編集ツール６０が表示されている。編集ツール６０は、フレームボタン６１、スタンプボタン６２、ペンボタン６３を含む。
【００６３】
フレームによりカード券面を装飾する場合（ステップＳ２０５＿Ｙｅｓ）、ユーザはフレームボタン６１を押す。編集部１１０は、ディスク装置３３に記憶されている編集データを用いて、複数のフレームをタッチパネル１２に表示する。ユーザは、好みのフレームを選択し、所望の位置に配置する（ステップＳ２０６）。
【００６４】
スタンプによりカード券面を装飾する場合（ステップＳ２０７＿Ｙｅｓ）、ユーザはスタンプボタン６２を押す。編集部１１０は、ディスク装置３３に記憶されている編集データを用いて、複数のスタンプをタッチパネル１２に表示する。ユーザは、好みのスタンプを選択し、所望の位置に配置する（ステップＳ２０８）。
【００６５】
手書きの文字やイラストでカード券面を装飾する場合（ステップＳ２０９＿Ｙｅｓ）、ユーザはペンボタン６３を押す。これにより、カード券面上で線描を行うことができる。線の色や太さをユーザの好みで変更できる。ユーザは、所望の位置に手書きの文字やイラストを描き込む（ステップＳ２１０）。この時、文字領域に手書き文字を書き込むこともできる。
【００６６】
このようなフレームやスタンプの配置、線描等の編集処理により、図１３に示すようなカード券面が作成される。図１３は、文字領域５２に手書きで氏名やイラストを入力し、画像領域５４をフレーム７１で囲み、複数のスタンプ７２を配置したカード券面の例を示している。
【００６７】
ステップＳ２１１以降は、図７のステップＳ１０５以降と同様であるため、説明を省略する。
【００６８】
図６のモード選択画面において、モード選択ボタンＭ３が押され「プロフェッショナルモード」が選択された場合、ＩＤカード作成装置１は、画像データの入力を行うよう案内画面を表示する。ユーザは、カード券面を予め自らデザインしており、カード券面の画像データをメモリカードや携帯端末に格納して持参している。データ入力部１４からカード券面の画像データが入力されると、ＩＤカード作成装置１は、プリント枚数の入力を受け付け、課金処理を行い、入力画像をカード基材にプリントして、カード４を作成する。
【００６９】
画像データの入力後、撮影装置１１でユーザを撮影し、撮影処理により生成されたユーザ画像を、入力された画像データに合成できるようにしてもよい。
【００７０】
図６のモード選択画面において、再利用ボタンＭ４が押された場合、ＩＤカード作成装置１は、二次元コードの読取装置に二次元コードをかざすよう案内画面を表示する。この二次元コードは、例えば、図７のステップＳ１１３で、カード４と共にプリント出力されるものである。
【００７１】
読取装置が二次元コードを読み取って識別情報を取得すると、データ通信処理部１１２は、この識別情報をサーバ装置２に通知し、対応するカード券面データを要求する。データ通信処理部１１２が、サーバ装置２からカード券面データを取得すると、カード券面がタッチパネル１２に表示される。
【００７２】
表示されたカード券面のままカードのプリント処理へ進むこともできるし、カード券面を変更することもできる。例えば、背景選択部１０２は、カード券面の背景の色や模様の変更を受け付ける。また、文字領域の文字を変更したり、画像領域の画像を変更したりすることができる。
【００７３】
カード券面の一部領域のみ保存している場合は、他領域に文字や画像を入力する。例えば、図１４に示すように、文字領域５１及び画像領域５３のみ保存している場合は、文字領域５２に文字を入力し、画像領域５４に画像を挿入する。図１４の例では、同一の店舗で二次元コードを共有し、各店員が文字領域５２に自身の名前を入力し、画像領域５４に撮影装置１１で撮影した画像を挿入することで、各店員用のＩＤカード（名札）を容易に作成できる。
【００７４】
サーバ装置２に保存されているカード券面データを利用することで、カード４を容易に作成（発行）することができる。
【００７５】
このように、本実施形態に係るＩＤカード作成システムによれば、ユーザの要求（レベル）に合わせたオリジナルデザインのＩＤカードを容易に作成できる。例えば、「簡単モード」では、文字領域や画像領域の数・位置が規定されたレイアウトを選択し、各領域に文字や画像を入力するだけで、カード券面を作成できる。これは、デザインに不慣れなユーザや、シンプルなデザインのカード作成を望むユーザ等に適している。
【００７６】
「こだわりモード」では、「簡単モード」と同様にして文字・画像を配置してカード券面のベースを容易に作成した上で、フレーム、スタンプ、手書きの文字やイラストでカード券面を装飾することができる。これは、自分好みのオリジナルデザインを望むユーザ等に適している。
【００７７】
「プロフェッショナルモード」では、ユーザが自身のＰＣ等でカード券面を予めデザインし、その画像データをＩＤカード作成装置１に入力することで、カード４を作成することができる。これは、画像編集ソフトの操作に精通しているユーザ等に適している。
【００７８】
「簡単モード」や「こだわりモード」において、背景の選択（ステップＳ１０１、Ｓ２０１）の前に、ユーザの年齢や性別を入力するステップを設け、入力された年齢や性別から、おすすめの背景色や模様を提示するようにしてもよい。おすすめの背景の提示は、例えば、背景選択ステップの開始から所定時間経過後に行ってもよいし、ユーザからの指示に基づいて行ってもよいし、背景選択画面を分割しておすすめの背景を同時に提示してもよい。
【００７９】
上記実施形態では、カード券面データを保存した場合、サーバ装置２から通知された識別情報を二次元コードにしてプリント出力していたが、英数字等からなる識別コードをプリント出力してもよい。ユーザは、カード券面データを再利用する際、プリントされた識別コードをタッチパネル１２のキーボード画面を使って入力する。
【００８０】
上記実施形態において、二次元コード画像をプリント出力する代わりに、タッチパネル１２に表示してもよい。ユーザは、スマートフォン等の携帯端末でタッチパネル１２に表示された二次元コードを撮影し、端末内に保存する。また、ＩＤカード作成装置１の通信部１５が、二次元コードの画像データを、ユーザが所有する携帯端末へ転送してもよい。ユーザは、携帯端末のディスプレイに二次元コードを表示させ、ＩＤカード作成装置１の二次元コード読取装置に二次元コードをかざすことで、サーバ装置２に保存されているカード券面データを再利用することができる。
【００８１】
ＩＤカード作成システムを、社員証の作成に利用する場合、サーバ装置２に、各社員の氏名、社員番号、所属部署等の情報を保存してもよい。社員がＩＤカード作成装置１で所定のコードを入力すると、当該会社の社員証作成モードが開始する。社員が、自身の社員番号をＩＤカード作成装置１に入力すると、ＩＤカード作成装置１は当該社員の氏名や所属部署等の情報、当該会社の社員証の券面画像をサーバ装置２に問い合わせて取得する。
【００８２】
ＩＤカード作成装置１は、撮影装置１１で社員の顔画像を撮影し、サーバ装置２から取得した券面画像に顔画像を合成し、氏名や所属部署等と共にカード基材に印画して、社員証を作成する。各社員が、社員証の背景色などを好みの色に変更できるようにしてもよい。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８４】
１  ＩＤカード作成装置
２  サーバ装置
４  カード
１１  撮影装置
１２  タッチパネル
１３  プリンタ
１４  データ入力部
１５  通信部
３３  ディスク装置
１００  モード選択部
１０２  背景選択部
１０４  レイアウト選択部
１０６  文字入力部
１０８  画像挿入部
１１０  編集部
１１２  データ通信処理部
１１４  二次元コード作成部
１１６  プリント処理部
【図１】
2017159511.tif 000003
【図２】
2017159511.tif 000004
【図３】
2017159511.tif 000005
【図４】
2017159511.tif 000006
【図５】
2017159511.tif 000007
【図６】
2017159511.tif 000008
【図７】
2017159511.tif 000009
【図８】
2017159511.tif 000010
【図９】
2017159511.tif 000011
【図１０】
2017159511.tif 000012
【図１１】
2017159511.tif 000013
【図１２】
2017159511.tif 000014
【図１３】
2017159511.tif 000015
【図１４】
2017159511.tif 000016